(57)【要約】【課題】　どのような情報が報知されているのかが容易に理解できると共に装飾効果の高い装飾表示部を有する遊技機設置島台を提供する。【解決手段】　発光源を内蔵する光表示領域部１３が形成される表示装飾部１０を、大当りの発生に基づく特賞信号が導出された場合に、一定時間が経過するまで遊技機設置島台全体の光表示領域部１３の発光源を点灯移動するように駆動制御し、一定時間が経過した後特賞信号を導出した遊技機に対応する光表示領域１３の発光源を駆動制御するようにしたので、遊技場のどの位置からでも大当りが報知されているか否かを容易に見ることができ、また、遊技機設置島台上部のほぼ全域の装飾効果を高めることができる。それと同時に、前記表示装飾部１０に、送風装置１７によって揺動する可動装飾板１５を設けて駆動するようにしたので、各種の遊技状態をより効果的に演出することができる。【選択図】　　　　図３
2004000805.tif 000002
【特許請求の範囲】
【請求項１】
　複数の遊技機を横方向に列設する遊技機設置島台において、
　前記各遊技機の上端から前記遊技機設置島台の上端部までの間の表示装飾部に色彩を施した装飾板の裏面に発光源を内蔵する光表示領域部と送風装置によって揺動する可動装飾板を備えた可動装飾領域部とが形成され、
　各種の遊技状態において導出される状態信号の種類に基づいて予め定めた態様で前記発光源を駆動制御する発光駆動制御手段と、各種の遊技状態において導出される状態信号の種類に基づいて予め定めた態様で前記送風装置を駆動制御する送風駆動制御手段を設け、
　前記発光駆動制御手段は、前記状態信号のうち、大当りの発生に基づく特賞信号が導出された場合に、一定時間が経過するまで特賞信号を導出した遊技機に対応する光表示領域部を含む遊技機設置島台全体の光表示領域部の発光源を点灯移動するように駆動制御し、前記一定時間が経過した後大当りが終了するまで特賞信号を導出した遊技機に対応する光表示領域の発光源を駆動制御することを特徴とする遊技機設置島台。
【請求項２】
　前記送風駆動制御手段は、前記発光駆動制御手段が特賞信号を導出した遊技機に対応する光表示領域の発光源を駆動制御している期間、前記送風装置を駆動制御することを特徴とする請求項１記載の遊技機設置島台。
【発明の詳細な説明】
【技術分野】
【０００１】
　本発明は、複数の遊技機を横方向に列設する遊技機設置島台に関するものであり、特に、遊技機設置島台上部の装飾効果を高めることが可能な遊技機設置島台に関するものである。
【背景技術】
【０００２】
　従来、パチンコ遊技機等の遊技機を列設する遊技機設置島台の上部には、該遊技機設置島台の長手方向に沿って装飾板が取り付けられ、その装飾板の上部に欄間が開閉自在に設けられていた。そして、装飾板には、各遊技機に対応して呼出スイッチや呼出ランプを有する呼出装置が設けられていた。また、近年、その呼出装置内に呼出ランプ以外のランプを設けて、遊技状態が特賞状態となったときや、あるいは不正遊技（磁石使用又は扉の不正開放）が行われているときに、その付加したランプを駆動してその旨を報知するものも提供されていた。
【発明の開示】
【発明が解決しようとする課題】
【０００３】
　しかしながら、呼出装置自体が余り大きくなく且つ取付位置が遊技機の直上の比較的低い位置であるため、どのような遊技状態が報知されているかが理解し難く、また遊技場の店員が見ずらいという問題があり、更に遊技機設置島台上部の装飾という点でもいまひとつもの足りないという問題があった。本発明は、上記した問題点に鑑みなされたもので、その目的とするところは、見やすく且つどのような情報が報知されているのかが容易に理解できると共に装飾効果の高い装飾表示部を有する遊技機設置島台を提供することにある。
【課題を解決するための手段】
【０００４】
　上記した目的を達成するために、本発明においては、
　複数の遊技機を横方向に列設する遊技機設置島台において、
　前記各遊技機の上端から前記遊技機設置島台の上端部までの間の表示装飾部に色彩を施した装飾板の裏面に発光源を内蔵する光表示領域部と送風装置によって揺動する可動装飾板を備えた可動装飾領域部とが形成され、
　各種の遊技状態において導出される状態信号の種類に基づいて予め定めた態様で前記発光源を駆動制御する発光駆動制御手段と、各種の遊技状態において導出される状態信号の種類に基づいて予め定めた態様で前記送風装置を駆動制御する送風駆動制御手段を設け、
　前記発光駆動制御手段は、前記状態信号のうち、大当りの発生に基づく特賞信号が導出された場合に、一定時間が経過するまで特賞信号を導出した遊技機に対応する光表示領域部を含む遊技機設置島台全体の光表示領域部の発光源を点灯移動するように駆動制御し、前記一定時間が経過した後大当りが終了するまで特賞信号を導出した遊技機に対応する光表示領域の発光源を駆動制御することを特徴とするものである。
【０００５】
　また、前記送風駆動制御手段は、前記発光駆動制御手段が特賞信号を導出した遊技機に対応する光表示領域の発光源を駆動制御している期間、前記送風装置を駆動制御することを特徴とする。
【発明の効果】
【０００６】
　発光源を内蔵する光表示領域部が形成される表示装飾部を、遊技機設置島台に列設される各遊技機の上端から遊技機設置島台の上端部までの間に形成し、各種の遊技状態において導出される状態信号の種類に基づいて予め定めた態様で発光源を駆動制御し、状態信号のうち、大当りの発生に基づく特賞信号が導出された場合に、一定時間が経過するまで特賞信号を導出した遊技機に対応する光表示領域部を含む遊技機設置島台全体の光表示領域部の発光源を点灯移動するように駆動制御し、前記一定時間が経過した後大当りが終了するまで特賞信号を導出した遊技機に対応する光表示領域の発光源を駆動制御するようにしたので、遊技場のどの位置からでも大当りが報知されているか否かを容易に見ることができ、また、遊技機設置島台上部のほぼ全域の装飾効果を高めることができる。それと同時に、前記表示装飾部に、送風装置によって揺動する可動装飾板を備えた可動装飾領域部が形成されており、各種の遊技状態において導出される状態信号の種類に基づいて予め定めた態様で前記送風装置を駆動制御する駆動制御手段が設けられているので、各種の遊技状態をより効果的に演出することができる。
【発明を実施するための最良の形態】
【０００７】
　以下、図面を参照して本発明の実施例について説明する。まず、図１及び図２を参照して実施例に係る遊技機設置島台１の構成について説明する。図１は、遊技機設置島台１の正面図であり、図２は、遊技機設置島台１の斜視図である。図において、遊技機設置島台１は、周知のように、その中央に複数の遊技機（図示の場合には、パチンコ遊技機２）を並列設置し得るように構成され、その設置されたパチンコ遊技機２の下部において前方に向かって突設されるカウンター台３には、各パチンコ遊技機２に対応して玉返却装置４とプリンター装置５とが設けられている。玉返却装置４は、遊技者が獲得した景品玉を遊技機設置島台１の内部に返却するものであり、プリンター装置５は、遊技終了時にその返却した景品玉数をレシートに印字して発行するものである。また、各パチンコ遊技機２の上端から遊技機設置島台１の上端部までの間のほぼ全域に表示装飾部１０が形成されている。この表示装飾部１０は、本実施例の要部を構成するものである。
【０００８】
　そこで、表示装飾部１０の構成について図２乃至図４を参照して説明する。図２は、前記したように遊技機設置島台１の斜視図であり、図３は、表示装飾部１０の正面図であり、図４は、表示装飾部１０の断面図である。図において、表示装飾部１０は、その上端辺が蝶番１２によって開閉自在に軸支される開閉板１１に集約して設けられ、その開閉板１１前面のほぼ全面に側方から見て山形状に形成される装飾板としてのカバー部材１１ａを取り付けることによって構成されている。しかして、カバー部材１１ａの上部約２／３には、複数に区画された光表示領域部１３が形成され、該光表示領域部１３の下方に可動装飾領域部を構成する細長状の可動装飾板１５が蝶番１６によって揺動自在に垂下され、更に、可動装飾板１５の下方の左右に音声発生領域部１８が、中央に呼出領域部２０がそれぞれ形成されている。なお、開閉板１１を蝶番１２によって開閉自在に設けることにより、遊技機設置島台１の内部上方に敷設される補給樋の玉詰まり等の故障に対して容易に対応することができる。
【０００９】
　光表示領域部１３を構成するカバー部材１１ａは、図示するように４本の棒状表示部のそれぞれが３分割されて合計１２個に区画され、その各区画に対応するように後方にランプ１４が設けられている。また、各区画には、例えば、縦方向のグループ毎に異なる色彩が施されており、中央の逆台形状の表示部列が赤色、左の表示部列が青色、右の表示部列が黄色、にそれぞれ着色されている。
【００１０】
　光表示領域部１３の下方に設けられる可動装飾領域を構成する可動装飾板１５は、その前面に装飾が施されていると共に、前記したように蝶番１６によって上端が軸支されている。また、可動装飾板１５の後方には、モータによって回転する羽車によって構成される送風装置１７が設けられている。そして、送風装置１７が駆動されたときには、その風圧によって可動装飾板１５が揺動開放するようになっている。
【００１１】
　また、上記可動装飾板１５の下方左右に形成される音声発生領域部１８は、その後面に設けられるスピーカ１９から発生される音声が通るように音通し穴が形成されることにより構成されている。更に、左右の音声発生領域部１８に挟まれる呼出領域部２０は、図４に示すように、凹状に形成され、その内部に呼出スイッチ２１が設けられている。この呼出スイッチ２１を遊技者が操作すると、前記光表示領域部１３の一部のランプ１４が点灯して遊技にトラブルが発生したことを報知する。
【００１２】
　なお、光表示領域部１３の区画形状は、図１乃至図４に示す形状に限られることなく、任意に設計すれば良い。例えば、図５に示すように、楕円形と円形とを組合せて複数の区画が形成された光表示領域部１３ａとして構成しても良い。この場合、この光表示領域１３ａを有する表示装飾部１０ａの他の構成は、前記実施例と同じ構成が採用されているが、他の構成を採用しても良い。
【００１３】
　上記のように構成される表示装飾部１０は、遊技機設置島台１の内部に設けられる制御回路基板（図示しない）によって駆動制御されるが、その動作の一例について図６を参照して説明する。図６は、表示装飾部１０の動作の概略を示すフロー図である。図において、ステップ１０で不正信号があるか否かが判別される。不正信号は、パチンコ遊技機２に設けられる磁石感知センサやガラス扉開放感知センサ等が作動することにより導出される。しかして、不正信号が導出されていると判別されたときには、ステップ２０でその不正信号が導出されたパチンコ遊技機２に対応して設けられる表示装飾部１０の光表示領域部１３のうち、例えば、赤色に着色された区画のランプ１４が点灯又は点滅駆動されてその旨を報知すると共に、スピーカ１９からも不正があった旨の報知音が発生される。なお、ステップ１０で不正信号がないと判別されたときには、ステップ２０の処理は、実行されない。
【００１４】
　次いで、ステップ３０で呼出信号があるか否かが判別される。呼出信号は、呼出領域部２０に設けられる呼出スイッチ２１が遊技者によって操作されたときに導出される。しかして、呼出信号が導出されていると判別されたときには、ステップ４０でその呼出信号が導出されたパチンコ遊技機２に対応して設けられる表示装飾部１０の光表示領域部１３のうち、例えば、黄色に着色された区画のランプ１４が点灯又は点滅駆動されてその旨を報知する。なお、ステップ３０で呼出信号がないと判別されたときには、ステップ４０の処理は、実行されない。
【００１５】
　更に、ステップ５０で特賞信号があるか否かが判別される。特賞信号は、パチンコ遊技機２の遊技において、短時間に多量の賞球を獲得する遊技チャンスが出現したとき（俗に大当りという）に導出されるものである。しかして、遊技機設置島台１に設置されるいずれかのパチンコ遊技機２において、大当りが発生して特賞信号が導出されると、まず、ステップ６０で特賞信号を導出したパチンコ遊技機２に対応する表示装飾部１０の光表示領域部１３を含む遊技機設置島台１全体（遊技機を背向列設する形式のものにあっては、一側面）の光表示領域部１３が、例えば、図１に示すように、全体が波打つようにランプ１４を点灯移動させて駆動される。これにより、遊技機設置島台１上部の装飾効果を大きく向上させることができる。また、本実施例においては、このような全体のランプ駆動が一定時間（例えば、５秒）実行された後には、ステップ７０で特賞信号を導出したパチンコ遊技機２に対応する表示装飾部１０のすべてのランプ１４、スピーカ１９、及び送風装置１７が駆動制御される。送風装置１７が駆動されると可動装飾板１５が風圧により揺動されるので、どのパチンコ遊技機２において特賞状態が発生しているか否かをより明確に報知することができると共に、装飾効果を高めることができる。なお、ステップ７０の処理は、特賞状態が終了するまで実行される。
【００１６】
　以上、実施例に係る遊技機設置島台１について説明したが、本実施例によれば、複数に区画され且つ各区画毎に色彩を施したカバー部材１１ａの裏面にランプ１４を内蔵する光表示領域部１３と、音声を発生するスピーカ１９が設けられる音声発生領域部１８と、送風装置１７によって揺動する可動装飾板１５を備えた可動装飾領域部と、トラブルが生じたときに遊技者が操作し得る呼出スイッチ２１を有する呼出領域部２０と、から構成される表示装飾部１０を、遊技機設置島台１に列設される各パチンコ遊技機２の上端から遊技機設置島台１の上端部までの間のほぼ全域に形成し、各種の遊技状態において導出される状態信号及び呼出スイッチ２１からの呼出信号の種類に基づいて予め定めた態様でランプ１４、スピーカ１９、送風装置１７の一部又は全部を駆動制御するようにしたので、遊技場のどの位置からでもどのような情報が報知されているか否かを容易に見ることができ、また、遊技機設置島台１上部のほぼ全域の装飾効果を高めることができる。
【００１７】
　なお、上記実施例では、光表示領域部１３の占有面積率が大きいので、各種の情報が明確に視認及び伝達できることは無論のこと、装飾効果も極めて高くすることができ、遊技場のイメージを一新することができる。また、送風装置１７によって風を送風することに加えてスモークを排出するように構成することにより、さらに高度な装飾効果を演出することが可能である。更に、表示装飾部１０に例えば、液晶表示器等の文字情報表示器を付設して、該文字情報表示器にも遊技者又は店員が理解できるメッセージを表示するようにしても良い。また、遊技機設置島台１に設置し得る遊技機もパチンコ遊技機２に限らず、アレンジ式遊技機、スロット式遊技機であっても良い。
【図面の簡単な説明】
【００１８】
【図１】実施例に係る遊技機設置島台の正面図である。
【図２】遊技機設置島台の斜視図である。
【図３】表示装飾部の正面図である。
【図４】表示装飾部の断面図である。
【図５】異なる表示装飾部を有する遊技機設置島台の正面図である。
【図６】表示装飾部の動作の概略を示すフロー図である。
【符号の説明】
【００１９】
　１　遊技機設置島台
　２　パチンコ遊技機
　１０　表示装飾部
　１０ａ　表示装飾部
　１１　開閉板
　１１ａ　カバー部材（装飾板）
　１３　光表示領域部
　１３ａ　光表示領域部
　１４　ランプ
　１５　可動装飾板（可動装飾領域部）
　１６　蝶番
　１７　送風装置
　１８　音声発生領域部
　１９　スピーカ
　２０　呼出領域部
　２１　呼出スイッチ
【図１】
2004000805.tif 000003
【図２】
2004000805.tif 000004
【図３】
2004000805.tif 000005
【図４】
2004000805.tif 000006
【図５】
2004000805.tif 000007
【図６】
2004000805.tif 000008